(57)【要約】【課題】  簡単な構造でハウスバンドを固定することが可能で、かつ、より設置を容易にすることが可能なハウスバンド固定装置等を提供する。【解決手段】  ハウスバンドは、ハウスの被覆材を押さえるためのものである。ハウスバンドは、一方の端が固定端であり、他方の端が開放端である。ハウスバンド固定装置１は、ハウスバンドを固定する。ハウスバンド固定装置１は、押止部９と通過部１１を備える。利用者は、ハウスバンドの途中部分を通過部１１に通し、帯掛部３を挿入して、ハウスバンドを帯掛部３に掛ける。このとき、ハウスバンドの開放端側部分は、押止部９と固定端側部分との間にある。開放端側部分を引っ張ると、押止部９と固定端側部分とが開放端側部分を挟んで固定する。【選択図】  図１
2017225364.tif 000002
【特許請求の範囲】
【請求項１】
ハウスの被覆材を押さえるハウスバンドを固定するハウスバンド固定装置であって、
支持部と、前記支持部とは独立に移動可能な帯掛部とを備え、
前記支持部は、前記ハウスバンドが通過する通過部を備え、
前記帯掛部は、前記ハウスバンドが前記通過部を通過した後に、ハウスバンドが掛けられる、ハウスバンド固定装置。
【請求項２】
前記通過部の縁の一部である押止部を備え、
前記ハウスバンドは、
一方の端が固定端であり、他方の端が開放端であり、
前記帯掛部に掛けられた箇所を基準にして前記開放端の側のハウスバンドが、前記固定端の側のハウスバンドと前記押止部との間にあることにより、前記固定端の側の前記ハウスバンドと前記押止部とが、前記開放端の側にある前記ハウスバンドを挟んで押さえて固定する、請求項１記載のハウスバンド固定装置。
【請求項３】
前記固定端の側のハウスバンドを引っ張ることにより、前記ハウスバンドが開放され、
前記開放端の側のハウスバンドを引っ張ることにより、前記固定端の側の前記ハウスバンドと前記押止部とが、再度、前記開放端の側にある前記ハウスバンドを挟んで押さえる、請求項１又は２に記載のハウスバンド固定装置。
【請求項４】
前記支持部は、前記通過部を基準として前記押止部の側に、前記ハウスバンドを保持する保持部を備え、
前記ハウスバンドは、前記通過部を通過して前記帯掛部に掛けられるとともに、前記保持部に保持される、請求項１から３のいずれかに記載のハウスバンド固定装置。
【請求項５】
ハウスの被覆材を押さえるハウスバンドと、前記ハウスバンドを固定するハウスバンド固定装置を備えるハウスバンド固定システムであって、
前記ハウスバンド固定装置は、支持部と、前記支持部とは独立に移動可能な帯掛部とを備え、
前記支持部は、前記ハウスバンドが通過する通過部と、前記通過部の縁の一部である押止部を備え、
前記帯掛部は、前記通過部を通過したハウスバンドが掛けられ、
前記ハウスバンドは、一方端が固定され、前記帯掛部に掛けられた箇所を基準にして、他方端の側のハウスバンドが、前記一方端の側のハウスバンドと前記押止部との間にある、ハウスバンド固定システム。
【請求項６】
ハウスの被覆材を押さえるハウスバンドを固定するハウスバンド固定装置を用いたハウスバンド固定方法であって、
前記ハウスバンド固定装置は、支持部と、前記支持部とは独立に移動可能な帯掛部とを備え、
前記支持部は、前記ハウスバンドが通過する通過部を備え、
前記帯掛部は、前記通過部を通過した前記ハウスバンドが掛けられるものであり、
前記ハウスバンドの一方の端である固定端を固定し、他方の端である開放端は開放された状態にするハウスバンド固定ステップと、
前記ハウスバンドの途中部分を前記通過部に通して前記帯掛部に掛け、前記帯掛部に掛けられた箇所を基準にして前記固定端の側の前記ハウスバンドと前記押止部とが、前記開放端の側にある前記ハウスバンドを挟んで押さえて固定する仮止めステップと、
前記固定端の側のハウスバンドを引っ張ることにより、仮止めされた前記ハウスバンドを開放する開放ステップと、
前記開放端の側のハウスバンドを引っ張ることにより、再度、前記固定端の側の前記ハウスバンドと前記押止部とが、前記開放端の側にある前記ハウスバンドを挟んで押さえて固定する再固定ステップを含むハウスバンド固定方法。
【発明の詳細な説明】
【技術分野】
【０００１】
本願発明は、ハウスバンド固定装置、ハウスバンド固定システム及びハウスバンド固定方法に関し、特に、ハウスの被覆材を押さえるハウスバンドを固定するハウスバンド固定装置等に関する。
【背景技術】
【０００２】
出願人は、特許文献１において、簡単な構造のハウスバンド固定装置を提案した。このハウスバンド固定装置は、ハウスバンドを通し穴に通して掛け、ハウスに固定した側のバンドで、固定していない側のバンドを押止することにより、ハウスバンドを固定するものである。
【先行技術文献】
【特許文献】
【０００３】
【特許文献１】特開２０１６−２１９２０号公報
【発明の概要】
【発明が解決しようとする課題】
【０００４】
しかしながら、特許文献１記載のハウスバンド固定装置は、ハウスバンドの一方端を固定し、他方端（固定していない端）の側は、端から固定位置まで通し穴にとおす必要がある。そのため、ハウスバンドの長い部分を通し穴に通す作業が必要になった。
【０００５】
そこで、本願発明は、特許文献１と同様の簡単な構造でハウスバンドを固定することが可能で、かつ、より設置を容易にすることが可能なハウスバンド固定装置等を提供することを目的とする。
【課題を解決するための手段】
【０００６】
本願発明の第１の観点は、ハウスの被覆材を押さえるハウスバンドを固定するハウスバンド固定装置であって、支持部と、前記支持部とは独立に移動可能な帯掛部とを備え、前記支持部は、前記ハウスバンドが通過する通過部を備え、前記帯掛部は、前記ハウスバンドが前記通過部を通過した後に、ハウスバンドが掛けられるものである。
【０００７】
本願発明の第２の観点は、第１の観点のハウスバンド固定装置であって、前記通過部の縁の一部である押止部を備え、前記ハウスバンドは、一方の端が固定端であり、他方の端が開放端であり、前記帯掛部に掛けられた箇所を基準にして前記開放端の側のハウスバンドが、前記固定端の側のハウスバンドと前記押止部との間にあることにより、前記固定端の側の前記ハウスバンドと前記押止部とが、前記開放端の側にある前記ハウスバンドを挟んで押さえて固定するものである。
【０００８】
本願発明の第３の観点は、第１又は第２の観点のハウスバンド固定装置であって、前記固定端の側のハウスバンドを引っ張ることにより前記ハウスバンドが開放され、前記開放端の側のハウスバンドを引っ張ることにより、前記固定端の側の前記ハウスバンドと前記押止部とが、再度、前記開放端の側にある前記ハウスバンドを挟んで押さえるものである。
【０００９】
本願発明の第４の観点は、第１から第３のいずれかの観点のハウスバンド固定装置であって、前記支持部は、前記通過部を基準として前記押止部の側に、前記ハウスバンドを保持する保持部を備え、前記ハウスバンドは、前記通過部を通過して前記帯掛部に掛けられるとともに、前記保持部に保持されるものである。
【００１０】
本願発明の第５の観点は、ハウスの被覆材を押さえるハウスバンドと、前記ハウスバンドを固定するハウスバンド固定装置を備えるハウスバンド固定システムであって、前記ハウスバンド固定装置は、支持部と、前記支持部とは独立に移動可能な帯掛部とを備え、前記支持部は、前記ハウスバンドが通過する通過部と、前記通過部の縁の一部である押止部を備え、前記帯掛部は、前記通過部を通過したハウスバンドが掛けられ、前記ハウスバンドは、一方端が固定され、前記帯掛部に掛けられた箇所を基準にして、他方端の側のハウスバンドが、前記一方端の側のハウスバンドと前記押止部との間にあるものである。
【００１１】
本願発明の第６の観点は、ハウスの被覆材を押さえるハウスバンドを固定するハウスバンド固定装置を用いたハウスバンド固定方法であって、前記ハウスバンド固定装置は、支持部と、前記支持部とは独立に移動可能な帯掛部とを備え、前記支持部は、前記ハウスバンドが通過する通過部を備え、前記帯掛部は、前記通過部を通過した前記ハウスバンドが掛けられるものであり、前記ハウスバンドの一方の端である固定端を固定し、他方の端である開放端は開放された状態にするハウスバンド固定ステップと、前記ハウスバンドの途中部分を前記通過部に通して前記帯掛部に掛け、前記帯掛部に掛けられた箇所を基準にして前記固定端の側の前記ハウスバンドと前記押止部とが、前記開放端の側にある前記ハウスバンドを挟んで押さえて固定する仮止めステップと、前記固定端の側のハウスバンドを引っ張ることにより、仮止めされた前記ハウスバンドを開放する開放ステップと、前記開放端の側のハウスバンドを引っ張ることにより、再度、前記固定端の側の前記ハウスバンドと前記押止部とが、前記開放端の側にある前記ハウスバンドを挟んで押さえて固定する再固定ステップを含むものである。
【発明の効果】
【００１２】
本願発明の各観点によれば、ハウスバンド固定装置を使って、ハウスバンドを帯掛部に掛けるという簡単な作業でハウスバンドを固定することができる。さらに、帯掛部と支持部とは、独立に動かすことができる。そのため、ハウスバンドを端から通し穴に通す必要はなく、ハウスバンドの途中部分を通過部に通した状態で、帯掛部を挿入して掛けるという簡単な作業で取り付けることができ、設置が容易になる。
【００１３】
さらに、第４の観点にあるように、通過部とは別に保持部を備えることにより、例えばハウスバンドの幅が狭い場合などで、ハウスバンドを通過部に加えて保持部に通して、ハウスバンドが押止部の上で重なるようにして、ハウスバンドを確実に固定することができる。
【図面の簡単な説明】
【００１４】
【図１】本願発明の実施の形態に係るハウスバンド固定装置の構成の一例を示す図である。
【図２】図１のハウスバンド固定装置１を用いてハウスバンドを固定する処理の一例を示す図である。
【図３】図２（ｃ）及び（ｄ）におけるハウスバンドの固定を具体的に説明するための図である。
【図４】本願発明の実施の形態に係る他のハウスバンド固定装置の例を示す図である。
【発明を実施するための形態】
【００１５】
以下、本願発明の実施の形態について説明する。なお、本願発明は、下記の実施例に限定されるものではない。
【実施例】
【００１６】
図１（ａ）は、本願発明の実施の形態に係るハウスバンド固定装置の構成の一例を示す図である。（ｂ）及び（ｃ）は、それぞれ、試作品の表面側及び裏面側から撮影したものを示す。ハウスバンドは、ハウスの被覆材（例えばビニルハウスでのビニル）を押さえるために使用される。
【００１７】
ハウスバンド固定装置１は、ハウスバンドが掛けられる帯掛部３（本願発明の「帯掛部」の一例）と、支持部５（本願発明の「支持部」の一例）と、帯掛部３と支持部５とを接続する接続部６を備える。支持部５は、固定部７（本願発明の「固定部」の一例）と、押止部９（本願発明の「押止部」の一例）と、通過部１１（本願発明の「通過部」の一例）と、保持部１３（本願発明の「保持部」の一例）と、溝１５を備える。
【００１８】
接続部６は、曲げることができる素材でできている。利用者は、表面側で帯掛部３を曲げて、支持部５の通過部１１の上に重ねることができる。接続部６により、帯掛部３と支持部５を独立に動かすことができる状態で接続することにより、固定作業時に、支持部５の近くに帯掛部３が存在するため、設置作業が容易になる。また、組み合わせが明確になり、一方が紛失することを防ぐことができる。
【００１９】
帯掛部３は、通過部１１を通過したハウスバンドが掛けられる。帯掛部３の長手方向の幅は、中央にハウスバンドの幅よりも長い一定幅の部分（以下、「一定幅部分」という。）があり、その両端が広くなっている（以下、「広幅部分」という。）。これにより、ハウスバンドが中央の一定幅部分に掛かる。
【００２０】
ハウスバンドは、一方の端が固定された固定端であり、他方の端は固定されていない開放端である。固定端は、例えば、ハウスに固定される。以下では、ハウスバンドのうち、帯掛部３に掛けられる箇所よりも固定端側の部分を「固定端側部分」といい、開放端側の部分を「開放端側部分」という。
【００２１】
固定部７は、ハウスバンド固定装置１を固定するためのものである。例えば、ハウス付近の地面に固定したり、ハウス（例えば、溝や谷樋や天窓など）や他の建造物に固定したりする。通常、固定部７は、ハウスバンドよりも下にある。そのため、以下では、固定部７が、ハウスバンドよりも下にある場合を例に説明する。
【００２２】
押止部９は、通過部１１の縁の一部分である。通常、通過部１１の上の縁である。ハウスバンドは、押止部９で重なっている。押止部９の上に開放端側部分があり、さらに、固定端側部分が重なっている。押止部９とハウスバンドの固定端側部分とが、開放端側部分を挟んで押さえることにより、ハウスバンドを固定する。
【００２３】
通過部１１は、ハウスバンドの途中部分（端でない部分）が通過する。ハウスバンドは、裏面側より表面側に通り、帯掛部３に掛けられて、表面側から裏面側へと再度通る。長手方向は、ハウスバンドの幅よりも長く、帯掛部３の一定幅の長さとほぼ同じである。短手方向は、帯掛部３の一定幅よりも広い。通過部１１は十分に広いため、ハウスバンドが帯掛部３に掛かった状態でも、ハウスバンドの開放端側部分を上に引っ張ることができる。
【００２４】
なお、図１では通過部１１を通し穴としているが、押止部が閉じた形状であればよく、固定部側が開いた形状であってもよい。この場合、例えば∩字のように固定部側が分かれた形状とし、固定部を２か所以上に分けて設ければよい。
【００２５】
保持部１３は、通過部１１とは別に、ハウスバンドを通すものである。保持部１３の幅は、例えば、通過部１１の幅と同じか、狭くする。図１では、隙間を設けて、ハウスバンドが固定された状態であっても容易に通すことができるようにしている。
【００２６】
溝１５は、通過部１１の表面側の周りに形成されている。溝１５は、帯掛部３の一定幅部分が、通過部１１の上に位置する範囲で移動できるように形成されている。帯掛部３が溝１５内で移動することができるため、利用者は、ハウスバンドを上に引っ張って、容易に長さを調整できるようになっている。
【００２７】
図２及び図３を参照して、図１のハウスバンド固定装置１により固定する一例を示す。利用者は、まず、固定部７を固定し、ハウスバンドの固定端を固定する。
【００２８】
図２（ａ）にあるように、作業者は、ハウスバンド２１の途中部分を、裏面側から表面側へ、通過部１１に通す。ハウスバンド２１は、途中部分が表側にあり、他の部分は裏面側にある。ここで、ハウスバンド２１の開放端側部分は、押止部９とハウスバンド２１の固定端側部分との間にあるようにする。
【００２９】
特許文献１のハウスバンド固定装置では、ハウスバンドの開放端側（固定されていない側）を通し穴に通す必要があった。それに対し、図１のハウスバンド固定装置１では、ハウスバンド２１の途中部分を通過部１１に通すのみでよい。そのため、作業者は、容易に設置することができる。
【００３０】
図２（ｂ）にあるように、作業者は、ハウスバンド２１の途中部分が通過部１１をとおった状態で、ハウスバンド２１に帯掛部３を挿入して掛ける。
【００３１】
図２（ｃ）及び（ｄ）にあるように、ハウスバンド２１の開放端側部分２５を引っ張ることにより、ハウスバンド２１の固定端側部分２３の長さが短くなる。そして、押止部９と固定端側部分２３とが、開放端側部分２５を挟み、ハウスバンド２１を固定する。（ｃ）は表面側から、（ｄ）は裏面側から示した図である。
【００３２】
他方、固定端側部分２３を下に引っ張ることにより、固定端側部分２３が緩み、ハウスバンド２１は開放される。そのため、改めて開放端側部分２５を上に引っ張ることにより、ハウスバンドを締めて再度固定することができる。
【００３３】
実際の取り付け作業では、まず、開放端側部分２５を上に引っ張って仮止めし、他のハウスバンドの取り付け作業等をした後に、固定端側部分２３を下に引っ張って開放し、開放端側部分２５を改めて上に引っ張って固定する。このように、開放と固定の作業を繰り返す。これは、例えば、固定端側部分２３をある方向に引っ張って開放し、開放端側部分２５を反対方向に引っ張って固定することで、実現することができる。
【００３４】
図２（ｅ）は、ハウスバンド２１を保持部１３に通した状態を示す。通過部１１のみでは、例えばハウスバンド２１の幅が狭い場合などに、重なる部分が少なくなり、しっかりと固定することができない場合が考えられる。ハウスバンド２１を通過部１１に通過させて帯掛部３に掛けて固定した状態で、さらに保持部１３に通すことにより、ハウスバンド２１が押止部９の上で重なった状態を維持して、しっかりと固定することができる。
【００３５】
図３を参照して、図２（ｃ）及び（ｄ）の固定の状態を具体的に説明する。図３（ａ）では、帯掛部３の幅Ｗ1は、通過部９の幅Ｗ2よりも狭い。そのため、ハウスバンドを通し穴と掛帯部とで押さえて固定するものではない。押止部９は、裏面側の縁の上部に存在する。
【００３６】
図３（ｂ）にあるように、開放端側部分２５は、押止部９と固定端側部分２３との間にある。作業者は、開放端側部分２５を図の右方向に引っ張ることにより、固定端側部分２３が締まり、押止部９と固定端側部分２３とが開放端部分２５を挟んでハウスバンドを固定する。他方、作業者は、固定端側部分２３を図の左方向に引っ張ることにより、固定端側部分２３が緩み、開放端部分２５は開放される。作業者は、改めてハウスバンドの固定作業を行うことができる。
【００３７】
なお、図４にあるように、固定部は、ハウスの構成部材の蟻溝に入れるような形状であってもよい。また、接続部６により接続せず、帯掛部３と支持部５を別の部材としてもよい。
【符号の説明】
【００３８】
１  ハウスバンド固定装置、３  帯掛部、５  支持部、６  接続部、７  固定部、９  押止部、１１  通過部、１３  保持部、１５  溝、２１  ハウスバンド、２３  固定端側部分、２５  開放端側部分
【図１】
2017225364.tif 000003
【図２】
2017225364.tif 000004
【図３】
2017225364.tif 000005
【図４】
2017225364.tif 000006